(57)【要約】【課題】吐出安定性に優れ、光学濃度（ＯＤ値）の高い画像を得ることが可能なインクジェット捺染用インク組成物を提供すること、また、光学濃度（ＯＤ値）の高い画像を形成することが可能なインクジェット捺染方法を提供すること。【解決手段】本発明のインクジェット捺染用インク組成物は、反応性染料と水溶性有機溶剤とを含み、水溶性有機溶剤は、２０℃における水への溶解度が１０ｇ／１００ｇ以上で、かつ、分子内に水酸基を有さない溶剤Ａ、および、ＩＯＢ値が２．９以上で、かつ、分子内に水酸基を有する溶剤Ｂのうちの少なくとも１種を含み、下記式（１）で表されるＺ１が１８以下であり、インクジェット捺染用インク組成物中における、前記溶剤Ａの含有量と前記溶剤Ｂの含有量の総和Ｚ２は、３．８質量％以上であることを特徴とする。2014133863.tif 000006【選択図】なし【特許請求の範囲】
【請求項１】
反応性染料と、水溶性有機溶剤と、を含み、
前記水溶性有機溶剤は、２０℃における水への溶解度が１０ｇ／１００ｇ以上で、かつ、分子内に水酸基を有さない溶剤Ａ、および、ＩＯＢ値が２．９以上で、かつ、分子内に水酸基を有する溶剤Ｂのうちの少なくとも１種を含み、
下記式（１）で表されるＺ１が１８以下であり、
インクジェット捺染用インク組成物中における、前記溶剤Ａの含有量と前記溶剤Ｂの含有量の総和Ｚ２は、３．８質量％以上であることを特徴とするインクジェット捺染用インク組成物。
【数１】
2014133863.tif 000005
【請求項２】
前記Ｚ１は、１０以下である請求項１に記載のインクジェット捺染用インク組成物。
【請求項３】
前記Ｚ２は、１０質量％以上である請求項１または２に記載のインクジェット捺染用インク組成物。
【請求項４】
前記水溶性有機溶剤は、ＩＯＢ値が２．９よりも小さく、かつ、分子内に水酸基を有する溶剤Ｃを含み、
インクジェット捺染用インク組成物中における前記溶剤Ｃの含有量は、１．５質量％以上３．０質量％以下である請求項１ないし３のいずれか１項に記載のインクジェット捺染用インク組成物。
【請求項５】
前記溶剤Ｃは、アルカンジオールまたはアルカントリオールであり、
前記溶剤ＣのＩＯＢ値は、１．６以上２．５以下である請求項４に記載のインクジェット捺染用インク組成物。
【請求項６】
前記反応性染料は、Ｃ．Ｉ．リアクティブブラック３９と、Ｃ．Ｉ．リアクティブオレンジ９９またはＣ．Ｉ．リアクティブブラウン１１の少なくとも１種と、を含む請求項１ないし５のいずれか１項に記載のインクジェット捺染用インク組成物。
【請求項７】
インクジェット捺染用インク組成物中における、前記Ｃ．Ｉ．リアクティブオレンジ９９および前記Ｃ．Ｉ．リアクティブブラウン１１の総含有量を１としたとき、前記Ｃ．Ｉ．リアクティブブラック３９の含有量は、３以上３．５以下である請求項６に記載のインクジェット捺染用インク組成物。
【請求項８】
請求項１ないし７のいずれか１項に記載のインクジェット捺染用インク組成物を用いることを特徴とするインクジェット捺染方法。
【発明の詳細な説明】
【技術分野】
【０００１】
本発明は、インクジェット捺染用インク組成物およびインクジェット捺染方法に関するものである。
【背景技術】
【０００２】
捺染法によって布帛等に対して染色を施すことが、広く行われている。捺染法としては、スクリーン捺染法、ローラ捺染法、ロータリー捺染法、転写捺染法等が知られている。
しかし、これら捺染法では、画面デザイン毎に版等を用意する必要があり、他品種少量生産には不向きであった。また、近年の流行の移り変わりに迅速に対応するのが困難であった。
【０００３】
このような捺染法の問題を解決するために、インクジェット方式によりインクを記録媒体（紙や布帛）に付与し、捺染を行う方法が知られている。このインクジェット方式に用いるインクは、適度な表面張力や吐出安定性といったインクジェット特性を確保する必要がある。そのため、含有できる染料の量にも制限があり、十分な染色濃度を得ることができないといった問題があった。
そのような問題を解決するために、反応性染料を含むインクを用いて、布帛を染色する方法が開発されている（例えば、特許文献１参照）。
しかしながら、従来の反応性染料を含むインクジェット捺染用インクでは、染色濃度が向上したものの、十分に鮮明な画像を得るのは困難であった。
【先行技術文献】
【特許文献】
【０００４】
【特許文献１】特開２０１１−１９５６８０号公報
【発明の概要】
【発明が解決しようとする課題】
【０００５】
本発明の目的は、吐出安定性に優れ、光学濃度（ＯＤ値）の高い画像を得ることが可能なインクジェット捺染用インク組成物を提供すること、また、光学濃度（ＯＤ値）の高い画像を形成することが可能なインクジェット捺染方法を提供することにある。
【課題を解決するための手段】
【０００６】
このような目的は、下記の本発明により達成される。
本発明のインクジェット捺染用インク組成物は、反応性染料と、水溶性有機溶剤と、を含み、
前記水溶性有機溶剤は、２０℃における水への溶解度が１０ｇ／１００ｇ以上で、かつ、分子内に水酸基を有さない溶剤Ａ、および、ＩＯＢ値が２．９以上で、かつ、分子内に水酸基を有する溶剤Ｂのうちの少なくとも１種を含み、
下記式（１）で表されるＺ１が１８以下であり、
インクジェット捺染用インク組成物中における、前記溶剤Ａの含有量と前記溶剤Ｂの含有量の総和Ｚ２は、３．８質量％以上であることを特徴とする。
【数１】
2014133863.tif 000002
これにより、吐出安定性に優れ、光学濃度（ＯＤ値）の高い画像を得ることができる。
【０００７】
本発明のインクジェット捺染用インク組成物では、前記Ｚ１は、１０以下であることが好ましい。
これにより、染着阻害の発生をさらに効果的に抑制することができる。
本発明のインクジェット捺染用インク組成物では、前記Ｚ２は、１０質量％以上であることが好ましい。
これにより、吐出安定性をさらに高いものとすることができる。
【０００８】
本発明のインクジェット捺染用インク組成物では、前記水溶性有機溶剤は、ＩＯＢ値が２．９よりも小さく、かつ、分子内に水酸基を有する溶剤Ｃを含み、
インクジェット捺染用インク組成物中における前記溶剤Ｃの含有量は、１．５質量％以上３．０質量％以下であることが好ましい。
これにより、染着濃度をより効率よく向上させることができる。
【０００９】
本発明のインクジェット捺染用インク組成物では、前記溶剤Ｃは、アルカンジオールまたはアルカントリオールであり、
前記溶剤ＣのＩＯＢ値は、１．６以上２．５以下であることが好ましい。
これにより、優れた吐出安定性を保持しつつ、染着阻害の発生をより効果的に抑制することができる。
【００１０】
本発明のインクジェット捺染用インク組成物では、前記反応性染料は、Ｃ．Ｉ．リアクティブブラック３９と、Ｃ．Ｉ．リアクティブオレンジ９９またはＣ．Ｉ．リアクティブブラウン１１の少なくとも１種と、を含むことが好ましい。
これにより、形成した画像における黒の染着濃度をより高いものとすることができる。
本発明のインクジェット捺染用インク組成物では、インクジェット捺染用インク組成物中における、前記Ｃ．Ｉ．リアクティブオレンジ９９および前記Ｃ．Ｉ．リアクティブブラウン１１の総含有量を１としたとき、前記Ｃ．Ｉ．リアクティブブラック３９の含有量は、３以上３．５以下であることが好ましい。
これにより、形成した画像における黒の染着濃度をさらに高いものとすることができる。
本発明のインクジェット捺染方法は、本発明のインクジェット捺染用インク組成物を用いることを特徴とする。
これにより、光学濃度（ＯＤ値）の高い画像を形成することが可能なインクジェット捺染方法を提供することができる。
【発明を実施するための形態】
【００１１】
以下、本発明の好適な実施形態について、詳細に説明する。
≪インクジェット捺染用インク≫
まず、本発明のインクジェット捺染用インク組成物について説明する。
本発明のインクジェット捺染用インク組成物は、反応性染料と、水溶性有機溶剤とを含んでいる。
【００１２】
ところで、インクジェット方式に用いるインクは、適度な表面張力や吐出安定性といったインクジェット特性を確保する必要がある。そのため、従来のインクジェット捺染用インクでは、含有できる染料の量にも制限があり、十分な染色濃度を得ることができないといった問題があった。
そのような問題を解決するために、反応性染料を含むインクを用いて、布帛を染色する方法が開発されている。しかしながら、従来の反応性染料を含むインクジェット捺染用インクでは、染色濃度が向上したものの、十分に鮮明な画像を得るのは困難であった。これは、以下に示す理由によるものと考えられる。
一般に、反応性染料を用いた捺染法では、スチーム等による加熱により、反応性染料の反応基が、記録媒体（紙や布帛）の水酸基（ＯＨ基）と反応し染着する。
【００１３】
ところで、従来のインクジェット捺染用インクには、吐出安定性や保存安定性を確保するために、ＯＨ基を有する溶剤が多く含まれている。このため、反応性染料の反応基が、加熱によってこれら溶剤のＯＨ基と反応して、記録媒体のＯＨ基等と反応する反応性染料が少なくなってしまう。その結果、高い染色濃度（光学濃度）を得ることができず、鮮明な画像を得ることが困難であった。
【００１４】
そこで、本発明者らは、上記問題に鑑み、鋭意検討した結果、水溶性有機溶剤が、２０℃における水への溶解度が１０ｇ／１００ｇ以上で、かつ、分子内に水酸基を有さない溶剤Ａ、および、ＩＯＢ値が２．９以上で、かつ、分子内に水酸基を有する溶剤Ｂの少なくとも１種を含み、下記条件１および条件２を満足することで、上記問題を解決することができることを見出した。
条件１：下記式（１）で表されるＺ１が１８以下である。
【００１５】
【数２】
2014133863.tif 000003
【００１６】
条件２：インクジェット捺染用インク組成物中における、溶剤Ａの含有量と前記溶剤Ｂの含有量の総和Ｚ２は、３．８質量％以上である。
本発明が上記の条件１および２を満足することにより、吐出安定性を確保しつつ、反応性染料の反応基と溶剤のＯＨ基との反応によって生じる染着阻害が発生するのを防止することができる。すなわち、吐出安定性に優れ、光学濃度（ＯＤ値）の高い画像を得ることが可能なインクジェット捺染用インク組成物を提供することができる。
【００１７】
なお、ＩＯＢ値とは、有機概念図に基づく無機性値（ＩＶ；Ｉｎｏｒｇａｎｉｃ  Ｖａｌｕｅ）を有機性値（ＯＶ；Ｏｒｇａｎｉｃ  Ｖａｌｕｅ）で除した値である。
有機概念図とは、炭素数に基づく有機性（共有結合性）と、置換基に基づく無機性（イオン結合性）の２因子に分け、有機軸と無機軸と名づけた直交座標上にマッピングしたものであり、有機化合物の性状を予測する指標のひとつとして知られているものである。炭素原子１個の有機性値を２０とし、有機化合物に含まれる各置換基の有機性値及び無機性値（例えば、新しい分散・乳化の科学と応用技術の新展開（New Technology and Application of Dispersion & Emulsion Systems）、株式会社テクノシステム、ｐ．１６６参照）を用いて、当該有機化合物の構造から、無機性値の総和（ＩＶ）と有機性値の総和（ＯＶ）を算出する。
【００１８】
ＩＯＢ値の算出例
ＩＯＢ値の具体例を説明する。トリエチレングリコールモノブチルエーテルは、炭素原子１０個と、ＯＨ基１個と、エーテル結合３個が含まれる。そして、複数のエチレングリコール鎖をもつ１級アルコールの場合、アルキル基に隣接するエーテル結合の無機性は２０とし、残り２つのエーテル結合の無機性は７５とされる。したがって、トリエチレングリコールモノブチルエーテルの有機性値は２０×１０＝２００、無機性値は１００＋２０＋１５０＝２７０となり、ＩＯＢ値は２７０／２００＝１．３５である。トリエチレングリコールは、炭素原子６個と、ＯＨ基２個と、エーテル結合２個が含まれる。そして、トリエチレングリコールモノブチルエーテルの場合と同様に計算すると、有機性値は２０×６＝１２０となり、無機性値は、１００×２＋７５×２＝３５０となり、ＩＯＢ値は３５０／１２０＝２．９２である。
【００１９】
以下、本発明のインクジェット捺染用インク組成物の各成分について詳細に説明する。
＜反応性染料＞
本発明のインクジェット捺染用インク組成物は、反応性染料を含んでいる。
反応性染料とは、一般に、ヒドロキシル基やアミノ基に対し共有結合性を有する反応基を有する染料をいう。
【００２０】
反応基としては、例えば、モノクロロトリアジン基、モノフルオロトリアジン基、カルボキシピリジニオトリアジン基、ジクロロトリアジン基、ビニルスルホン基、スルファトエチルスルホン基、フルオロクロロピリミジン基、トリクロロピリミジン基、ブロモアクリルアミド基等の公知の反応基を少なくとも１つ以上有する染料、上記反応基以外の他の公知の反応基等を挙げることができる。上述した中でも特に、トリアジン誘導体を反応基として有する反応染料は、綿繊維との反応性が高く、発色性に優れるので特に好適に用いることができる。
反応性染料は、上述したような反応基を１つ以上有していればよく、例えば、モノクロロトリアジン基を分子内に２つ以上有している染料、モノクロロトリアジン基またはモノフルオロトリアジン基とスルファトエチルスルホン基を同一分子内に含む異種反応基型染料であってもよい。
【００２１】
反応性染料としては、具体的には、Ｃ．Ｉ．リアクティブイエロー２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、Ｃ．Ｉ．リアクティブオレンジ１、４、５、７、１１、１２、１３、１５、１６、２０、３０、３５、５６、６４、６７、６９、７０、７２、７４、８２、８４、８６、８７、９１、９２、９３、９５、９９、１０７、Ｃ．Ｉ．リアクティブレッド３：１、２、３、５、８、１１、２１、２２、２３、２４、２８、２９、３１、３３、３５、４３、４５、４９、５５、５６、５８、６５、６６、７８、８３、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５、Ｃ．Ｉ．リアクティブバイオレット１、２、４、５、６、２２、２３、３３、３６、３８、Ｃ．Ｉ．リアクティブブルー２、３、４、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、Ｃ．Ｉ．リアクティブグリーン８、１２、１５、１９、２１、Ｃ．Ｉ．リアクティブブラウン２、７、９、１０、１１、１７、１８、１９、２１、２３、３１、３７、４３、４６、およびＣ．Ｉ．リアクティブブラック５、８、１３、１４、３１、３４、３９等を挙げることができる。
【００２２】
特に、本発明のインクジェット捺染用インク組成物をブラックインクとして用いる場合、Ｃ．Ｉ．リアクティブブラック３９と、Ｃ．Ｉ．リアクティブオレンジ９９またはＣ．Ｉ．リアクティブブラウン１１の少なくとも１種と、を含むのが好ましい。これにより、形成した画像における黒の染着濃度をより高いものとすることができる。その結果、得られる画像の光学濃度をさらに高いものとすることができる。
【００２３】
インクジェット捺染用インク組成物中における、Ｃ．Ｉ．リアクティブオレンジ９９および前記Ｃ．Ｉ．リアクティブブラウン１１の総含有量を１としたとき、Ｃ．Ｉ．リアクティブブラック３９の含有量は、３以上３．５以下であることが好ましい。これにより、形成した画像における黒の染着濃度をさらに高いものとすることができる。その結果、得られる画像の光学濃度をさらに高いものとすることができる。
インクジェット捺染用インク組成物中における、反応性染料の総含有量は、特に限定されないが、例えば、５質量％以上３０質量％以下であるのが好ましく、１２質量％以上２４質量％以下であるのがより好ましい。これにより、インクジェット捺染用インク組成物の吐出安定性を確保しつつ、形成する画像の光学濃度をより高いものとすることができる。
【００２４】
＜水溶性有機溶剤＞
本発明のインクジェット捺染用インク組成物は、水溶性有機溶剤を含んでいる。
本発明において、水溶性有機溶剤は、２０℃における水への溶解度が１０ｇ／１００ｇ以上で、かつ、分子内に水酸基を有さない溶剤Ａ、および、ＩＯＢ値が２．９以上で、かつ、分子内に水酸基を有する溶剤Ｂのうちの少なくとも１種を含むものである。
【００２５】
溶剤Ａとしては、例えば、尿素、チオ尿素、エチレン尿素、または１，３−ジメチルイミダゾリジノン類等の尿素類、２−ピロリドン、Ｎ−メチル−２−ピロリドン、またはε−カプロラクタム等のラクタム類、α−アセトラクトン、β−プロピオラクトン、γ−ブチロラクトン、δ−バレロラクトン等のラクトン類、３−メトキシ−Ｎ，Ｎ−ジメチルプロパンアミド、３−ブトキシ−Ｎ，Ｎ−ジメチルプロパンアミド等のアミド類、トリメチルグリシンが挙げられる。
【００２６】
このような溶剤Ａを含むことにより、染着濃度をより高いものとすることができる。その結果、得られる画像の光学濃度をより高いものとすることができる。
インクジェット捺染用インク組成物中における溶剤Ａの含有量は、５質量％以上２０質量％以下であるのが好ましく、７質量％以上１５質量％以下であるのがより好ましい。
溶剤Ｂとしては、例えば、グリセリン（ＩＯＢ＝５．００）、エチレングリコール（ＩＯＢ＝５．００）、ジエチレングリコール（ＩＯＢ＝３．４）、トリエチレングリコール（ＩＯＢ＝２．９２）、テトラエチレングリコール（ＩＯＢ＝２．６６）、ポリエチレングリコール、プロピレングリコール（ＩＯＢ＝３．３３）等のグリコール類、１，３−プロパンジオール（ＩＯＢ＝３．３）等が挙げられる。
このような溶剤Ｂを含むことにより、インクジェット捺染用インクの吐出安定性をより優れたものとすることができる。
【００２７】
インクジェット捺染用インク組成物中における溶剤Ｂの含有量は、１質量％以上１０質量％以下であるのが好ましく、２質量％以上７質量％以下であるのがより好ましい。これにより、高い染着濃度を維持しつつ、インクジェット捺染用インクの吐出安定性をより効率よく向上させることができる。
本発明において、溶剤Ｂは、上記式（１）で表されるＺ１が１８以下であるが、Ｚ１は、１０以下であることが好ましい。これにより、染着阻害の発生をさらに効果的に抑制することができる。
【００２８】
また、本発明において、溶剤Ａの含有量と溶剤Ｂの含有量の総和Ｚ２は、３．８質量％以上であるが、１０質量％以上であることが好ましい。これにより、吐出安定性をさらに高いものとすることができる。
また、インクジェット捺染用インク組成物は、上記溶剤ＡおよびＢの他、水溶性有機溶剤として、ＩＯＢ値が２．９よりも小さく、かつ、分子内に水酸基を有する溶剤Ｃを含んでいてもよい。このような溶剤Ｃを含むことにより、染着濃度をより高いものとすることができる。
インクジェット捺染用インク中における溶剤Ｃの含有量は、１．５質量％以上３．０質量％以下であるのが好ましい。これにより、染着濃度をより効率よく向上させることができる。
【００２９】
溶剤Ｃとしては、例えば、１，４−ブタンジオール（ＩＯＢ＝２．５０）、１，５−ペンタンジオール（ＩＯＢ＝２．００）、１，６−ヘキサンジオール（ＩＯＢ＝１．６７）等のアルカンジオール、ジプロピレングリコール（ＩＯＢ＝２．２９）、ポリプロピレングリコール等のグリコール類、１，２，６−ヘキサントリオール（ＩＯＢ＝２．５０）、トリメチロールプロパン（ＩＯＢ＝２．５０）等のアルカントリオール、エチレングリコールモノ−ｎ−ブチルエーテル（ＩＯＢ＝１．００）、ジエチレングリコール−ｎ−ブチルエーテル（ＩＯＢ＝１．２２）、トリエチレングリコール−ｎ−ブチルエーテル（ＩＯＢ＝１．３５）、エチレングリコールモノ−ｎ−メチルエーテル（ＩＯＢ＝２．００）、ジエチレングリコールモノ−ｎ−メチルエーテル（ＩＯＢ＝１．９５）、トリエチレングリコールモノ−ｎ−メチルエーテル（ＩＯＢ＝１．９３）等のグリコールエーテル類等が挙げられる。
溶剤Ｃとしては、ＩＯＢ値が１．０以上２．５以下のものを用いるのが好ましく、ＩＯＢ値が１．０以上２．５以下のグリコールエーテル、アルカンジオールまたはアルカントリオールを用いるのが好ましい。これにより、優れた吐出安定性を保持しつつ、染着阻害の発生をより効果的に抑制することができる。
【００３０】
＜水＞
本発明のインクジェット捺染用インク組成物は、上記成分の他、水を含んでいてもよい。水は、反応性染料を分散させる分散媒として機能するものである。
このように、水を含むことにより、インクジェット捺染用インク組成物の粘度、表面張力が、好ましい範囲に含まれるように好適に調整することができ、インクジェット捺染用インク組成物のインクジェット方式による吐出性をさらに優れたものとすることができる。また、水は、インクジェット方式による吐出後に容易に除去することのできる成分であるため、染色物の生産性を高めるうえでも重要である。また、水は、人体等に対する安全性が極めて高い物質であるため、染色物の製造において、作業者の安全を確保する上でも重要である。
インクジェット捺染用インク組成物における水の含有率は、特に限定されないが、５０質量％以上９０質量％以下であるのが好ましく、５５質量％以上８０質量％以下であるのがより好ましい。
【００３１】
＜その他の成分＞
本発明のインクジェット捺染用インク組成物は、上述した以外の成分（その他の成分）を含むものであってもよい。このような成分としては、例えば、分散剤、防腐防黴剤、ｐＨ調整剤、キレート試薬、防錆剤、紫外線吸収剤、消泡剤、表面張力調整剤等が挙げられる。
【００３２】
上述したようなインクジェット捺染用インクは、例えば、上記した各成分を、分散／混合機（例えば、ボールミル、サンドミル、アトライター、バスケットミル、ロールミル等）に供給し、分散させることにより調製することができる。
また、上記した分散／混合機により得られたインク原液をメンブランフィルターやメッシュフィルター等のフィルターを用いて濾過し、粗大粒子を除去することが好ましい。
【００３３】
＜インクジェット捺染方法＞
次に、インクジェット捺染方法について説明する。
本発明のインクジェット捺染方法は、上述したような本発明のインクジェット捺染用インク組成物を用いて、布帛等の被染色物を染色する方法である。
本発明のインクジェット捺染方法は、本発明のインクジェット捺染用インク組成物を用いていることから、光学濃度（ＯＤ値）の高い画像を有する染色物を得ることができる。
【００３４】
本発明のインクジェット捺染方法では、例えば、インクジェットプリンタのインクカートリッジに上述したインクジェット捺染用インク組成物を充填し、被染色物にインクジェット捺染用インク組成物を吐出することにより捺染を行う。
使用するインクジェットプリンタとしては、特に限定されないが、ドロップオンデマンド型のインクジェットプリンタを用いるのが好ましい。ドロップオンデマンド型のインクジェットプリンタには、記録ヘッドに配設された圧電素子を用いて記録を行う圧電素子記録方法を採用したもの、記録ヘッドに配設された発熱抵抗素子のヒーター等による熱エネルギーを用いて記録を行う熱ジェット記録方法を採用したもの等があり、いずれの記録方法を採用することもできる。
【００３５】
布帛に対してインクジェット捺染方法を実施する場合には、予め、前処理剤を用いて布帛を前処理しておくことが好ましい。布帛の前処理は、前処理剤中に布帛を浸積するか、前処理剤を布帛に塗布または噴霧する等の手段を用いて、布帛に前処理剤を付着させた後、布帛を乾燥することにより行われる。
布帛の前処理剤としては、水溶性高分子化合物等の糊剤を０．０１質量％以上２０質量％以下の量とアルカリ発生剤を１質量％以上５質量％以下の量とで含有させた水溶液を用いることができる。
【００３６】
糊剤としては、例えば、トウモロコシ、または小麦等のデンプン物質；カルボキシメチルセルロース、またはヒドロキシメチルセルロース等のセルロース系物質；アルギン酸ナトリウム、アラビヤゴム、ローカストビーンガム、トラントガム、グアーガム、またはタマリンド種子等の多糖類；ゼラチン、またはカゼイン等のタンパク質；タンニン；リグニン等の天然水溶性高分子や、ポリビニルアルコール系化合物、ポリエチレンオキサイド系化合物、アクリル酸系化合物、または無水マレイン酸系化合物等の合成水溶性高分子化合物を挙げることができる。上記のアルカリ発生剤としては、炭酸水素ナトリウム、炭酸ナトリウム等を挙げることができる。前処理剤には、必要に応じて、尿素、またはチオ尿素等の保湿剤、ｐＨ調整剤、還元防止剤、浸透剤、金属イオン封鎖剤、あるいは消泡剤等の各種添加剤を含有させることもできる。
【００３７】
また、インクジェット捺染方法を実施する場合には、布帛（被染色物）に対してインクジェット捺染用インク組成物を吐出し、文字および／または画像を印刷した後に、染料固着処理を行う。染料固着処理方法としては、従来の捺染方法における染料固着処理方法と同様の方法、例えば、常圧スチーム法、高圧スチーム法、またはサーモフィックス法等を挙げることができる。染料固着処理後は、常法通り、布帛を水洗し、乾燥する。必要に応じソーピング処理（未固着の染料を熱石鹸液等で洗い落とす処理）を実施してもよい。
以上、本発明の好適な実施形態について説明したが、本発明は、これに限定されるものではない。
【実施例】
【００３８】
［１］インクジェット捺染用インク組成物の製造
以下のようにして、インクジェット捺染用インク組成物を製造した。
（実施例１）
表１に記載された各成分を道標の配合量（質量％）となるように混合し、孔径０．５μｍのフィルターで濾過することにより、実施例１のインクを調製した。
【００３９】
（実施例２〜２１、比較例１〜４）
インクジェット捺染用インク組成物における、各成分の種類および含有量を表１に示すように変更した以外は、前記実施例１と同様にしてインクジェット捺染用インク組成物を調製した。
【００４０】
【表１】
2014133863.tif 000004
【００４１】
［２］吐出安定性の評価
各実施例および各比較例のインクジェット捺染用インク組成物をインクジェット記録装置：ＰＸ−Ｇ９３０（セイコーエプソン株式会社製）のインクカートリッジに投入し、２５℃６０％雰囲気下にて、セイコーエプソン株式会社製スーパーファインＡ４用紙に９０枚／時間で連続して１０００枚印刷し、印捺面のノズル抜けを観察し、以下の基準に従い、吐出安定性を評価した。
Ａ  ：印捺面のノズル抜けが１％未満である。
Ｂ  ：印捺面のノズル抜けが１％以上２０％未満である。
Ｃ  ：印捺面のノズル抜けが２０％以上である。
この結果を表１に合わせて示した。
【００４２】
［３］染色物の製造
下記の前処理液を綿布に塗布し、マングルにてピックアップ率２０％で絞って乾燥させた。
この前処理を行った絹布帛に、ＰＸ−Ｇ９３０プリンタ（セイコーエプソン社製）により、得られた各実施例および各比較例のインクジェット捺染用インク組成物を用いて印捺を行った。
印捺した布を１０３℃×１０分にてスチーミングして定着させた後、ラッコールＳＴＡ（明成化学社製）０．２％水溶液を用いて、５５℃で１０分間洗浄し、乾燥させた。これにより、染色物が得られた。
【００４３】
＜前処理液＞
アルギン酸ナトリウム：１．０重量％
グアーガム：１．０重量％
硫酸アンモニウム：４．０重量％
尿素：１０．０重量％
超純水：残量
【００４４】
［４］発色濃度（光学濃度）の評価
上記［３］で製造された染色物について、染色部の光学濃度（ＯＤ値）を、ＳｐｅｃｔｒｏＳｃａｎ（ＧｒｅｔａｇＭａｃｂｅｔｈ社製）を用いた測定により求め、以下の基準に従い評価した。
Ａ  ：染色部表面のＯＤ値が１．６０以上。
Ｂ  ：染色部表面のＯＤ値が１．４０以上１．６０未満。
Ｃ  ：染色部表面のＯＤ値が１．２０以上１．４０未満。
Ｄ  ：染色部表面のＯＤ値が１．２０未満。
この結果を表１に合わせて示した。
表１から明らかなように、本発明のインクジェット捺染用インク組成物は、吐出安定性に優れていた。また、得られた画像は、光学濃度に優れるものであった。これに対して、比較例では、十分な結果が得られなかった。